(57)【特許請求の範囲】
【請求項１】
板金を絞り加工して形成された金属製の第１の外装カバーと第２の外装カバーとを接合して構成される携帯機器において、
双方の外装カバーの接合部の表面をそれぞれ接合部以外の部分の表面よりも凹ませて形成し、前記接合部は、該接合部の表面に対して垂直な方向において前記第２の外装カバーが前記第１の外装カバーの下側から嵌め込まれる第１嵌め込み部と、前記接合部の表面に対して垂直な方向において前記第２の外装カバーが前記第１の外装カバーの上側から嵌め込まれる第２嵌め込み部とを有し、
当該接合部の表面全体にシートを双方の接合部以外の部分の表面と面一になるように覆って貼着したことを特徴とする携帯機器。
【請求項２】
請求項１に記載の携帯機器において、
前記シートは化粧板であることを特徴とする携帯機器。
【発明の詳細な説明】
【技術分野】
【０００１】
本発明は、外装カバー同士を接合して構成される携帯機器に関する。
【背景技術】
【０００２】
近年のデジタルカメラ等の携帯機器において、外観品位の良さや高級感などの印象をユーザーに与えるために外装が金属製の外装カバーで構成されたものがある（特許文献１参照）。この外装カバーの材質や工法は、マグネシウムダイカスト、チタンの絞り加工、ステンレスの絞り加工、アルミの絞り加工等多種多様である。
【０００３】
外装カバーと筐体との固定方法は、特許文献１に記載されているようにネジ締結による固定が一般的である。しかし、締結箇所をカメラ上面や前面に設けると外観品位が著しく損なわれてしまう。そのため、外装カバー同士を引っ掛けることで外装カバー同士が面一になるように接合し、接合部分の隙間や段差を防止している。
【０００４】
ここで、絞り加工されたアルミ等の金属製の外装カバーの場合は内面に機構構造を採る事ができない。そのため、外装カバーの内面にモールド部材等で形成されたインナカバーを接着等で固定して外装カバーと一体化させ、インナカバーに形成した爪構造等で外装カバー同士を引っ掛ける方法が既に知られている。
【発明の概要】
【発明が解決しようとする課題】
【０００５】
外装カバーの内面にインナカバーを固定する方法では隙間や段差を防止できるが、隙間や段差の防止のためにインナカバーを必要としているため、接合部分の隙間や段差を省スペースで防止するという点で改良の余地があった。
【０００６】
本発明は、このような従来の課題に鑑みてなされたものであり、接合部分の隙間や段差を省スペースで防止することができる携帯機器を目的とする。
【課題を解決するための手段】
【０００７】
本発明者等は、鋭意研究の結果、前記課題を解決するために以下のような携帯機器を採用した。
【０００８】
本発明の携帯機器では、板金を絞り加工して形成された金属製の第１の外装カバーと第２の外装カバーとを接合して構成される携帯機器において、双方の外装カバーの接合部の表面をそれぞれ接合部以外の部分の表面よりも凹ませて形成し、前記接合部は、該接合部の表面に対して垂直な方向において前記第２の外装カバーが前記第１の外装カバーの下側から嵌め込まれる第１嵌め込み部と、前記接合部の表面に対して垂直な方向において前記第２の外装カバーが前記第１の外装カバーの上側から嵌め込まれる第２嵌め込み部とを有し、当該接合部の表面全体にシートを双方の接合部以外の部分の表面と面一になるように覆って貼着したことを特徴としている。
【発明の効果】
【００１０】
本発明の携帯機器では、双方の外装カバーの接合部の表面を凹ませて形成し、双方の表面全体にシートを接合部以外の部分の表面と面一になるように覆って貼着した。したがって、このシートにより接合部分の隙間や段差を防止することができる。また、このシートは、双方のカバーの表面の凹みを塞いで設けられるので、接合部の隙間や段差を防止する際に省スペース化を図ることもできる。
【図面の簡単な説明】
【００１１】
【図１】本発明の一実施の形態を示すデジタルカメラの前面側の外観斜視図である。
【図２】同実施の形態のデジタルカメラの後面側の外観斜視図である。
【図３】同実施の形態のデジタルカメラの前カバーを裏側から視た斜視図である。
【図４】図３の前カバーの上部の拡大図である。
【図５】同実施の形態のデジタルカメラの後カバーを裏側から視た斜視図である。
【図６】図５の上部の拡大図である。
【図７】前カバーと後カバーの接合部分を表側から視た図である。
【図８】前カバーと後カバーの接合部分を裏側から視た図である。
【図９】前カバーと後カバーの接合部分の断面図である。
【発明を実施するための形態】
【実施例】
【００１２】
以下、本発明の実施の形態を図にしたがって説明する。
【００１３】
図１は本発明の一実施の形態を示すデジタルカメラ１の前面側の外観斜視図であり、図２はデジタルカメラ１の後面側の外観斜視図である。このデジタルカメラ１の外装構造は、２つの外装カバー（前カバー２と後カバー３）が前後方向で接合して構成されている。前カバー２と後カバー３は金属製であり、アルミ材、ステンレス材、チタン材等の板金を絞り加工して形成されている。
【００１４】
デジタルカメラ１の上面には、前カバー２と後カバー３を覆うシート４が配置されている。前カバー２の前面の右側にはグリップ部材５が設けられ、前面の左側には撮影レンズユニット６が取り付けられている。撮影レンズユニット６の周りには飾りリング７が設けられている。グリップ部材５の上部には暗時での撮影等の場合に光を発するストロボ８が設けられ、ストロボ８の下側には補助光を発するＬＥＤ窓９が設けられている。
【００１５】
前カバー２の下面には、メモリカードが装着可能なカードスロット（図示せず）と、電池が装着可能な電池室を覆う電池蓋１０とが設けられている。前カバー２の右側面にはストラップの通し部１１が設けられている。後カバー３の右側面には、パソコンやAV機器等のケーブル接続用端子を覆う端子カバー１２が設けられている。
【００１６】
デジタルカメラ１の上面には、シート４の右側にレリーズボタン１３が設けられ、レリーズボタン１３の周囲にはズームレバー１４が設けられている。ズームレバー１４の後側には電源ボタン１５が設けられ、レリーズボタン１３の右側にはモード切替ダイヤル１６が設けられている。また、デジタルカメラ１の後面には、ＬＣＤ１７、多方向ボタン１８、再生ボタン１９などの各種のボタンが配置されている。
【００１７】
図３は前カバー２を裏側から視た斜視図である。この前カバー２は絞り加工によって後面側が開口したカバー状に形成されている。前カバー２の前壁２１の左側には、撮影レンズユニット６（図１参照）の取付用開口部２１１が設けられている。前カバー２の上壁２２には、後カバー３との接合部２２１が左右に延びて形成されている。
【００１８】
図４に示すように接合部２２１は、左右の側壁２３，２３よりも前面側に凹んで形成されている。接合部２２１の表面２２１ａは、半抜き加工により上壁２２の他の部分２２２の表面２２２ａよりも凹んで形成されている。
【００１９】
接合部２２１の後端面２２１ｂには、４つの位置決め部２５１〜２５４が左右に離れて設けられている。４つの位置決め部２５１〜２５４は、それぞれ四角型状に形成され、後端面２２１ｂから下方に突出している。４つの位置決め部２５１〜２５４を、左から順に第１位置決め部２５１、第２位置決め部２５２、第３位置決め部２５３、第４位置決め部２５４とする。なお、位置決め部の個数は特に限定されない。
【００２０】
さらに後端面２２１ｂには、６つの嵌め込み部２６１〜２６６が設けられている。６つの嵌め込み部２６１〜２６６を、左から順に第１嵌め込み部２６１、第２嵌め込み部２６２、第３嵌め込み部２６３、第４嵌め込み部２６４、第５嵌め込み部２６５、第６嵌め込み部２６６とする。なお、嵌め込み部の個数は特に限定されない。
【００２１】
第１嵌め込み部２６１は、第１位置決め部２５１と第２位置決め部２５２との間に配置されている。この第１嵌め込み部２６１は、接合部２２１の表面２２１ａから半抜き加工、潰し加工、フライス加工等により四角型状に形成されている。
【００２２】
第２嵌め込み部２６２は、第２位置決め部２５２と第３位置決め部２５３との間で第２位置決め部２５２寄りに配置されている。この第２嵌め込み部２６２は四角型状に形成されている。
【００２３】
第３嵌め込み部２６３は、第３位置決め部２５３と第４位置決め部２５４との間に配置されている。この第３嵌め込み部２６３は、後方へ突出した鉤状に形成されている。
【００２４】
第４嵌め込み部２６４は、第３嵌め込み部２６３と第４位置決め部２５４との間に配置されている。この第４嵌め込み部２６４は四角型状に形成されている。
【００２５】
第５嵌め込み部２６５は、第４位置決め部２５４の右側に隣接して配置されている。この第５嵌め込み部２６５は、接合部２２１の表面２２１ａから半抜き加工、潰し加工、フライス加工等により四角型状に形成されている。
【００２６】
第６嵌め込み部２６６は、第５嵌め込み部２６５の右側に隣接して配置されている。この第６嵌め込み部２６６は、後方へ突出した鉤状に形成されている。
【００２７】
図５は、後カバー３を裏側から視た斜視図である。この後カバー３は絞り加工によって前面側が開口したカバー状に形成されている。後カバー３の後壁３１の左側には、ＬＣＤ１７（図２参照）の取付用開口部３１１が設けられている。後カバー３の上壁３２には、前カバー２との接合部３２１が左右に延びて形成されている。
【００２８】
図６に示すように接合部３２１は、左右の側壁３３，３３よりも前面側に突出して形成されている。接合部３２１の表面３２１ａは、半抜き加工により上壁３２の他の部分３２２の表面３２２ａよりも凹んで形成されている。
【００２９】
接合部３２１の前端部３２１ｂには、４つの位置決め部３５１〜３５４が左右に離れて設けられている。４つの位置決め部３５１〜３５４は、端面３２１ｃを凹ませて形成されている。４つの位置決め部３５１〜３５４には、図７と図８に示すように前カバー２の位置決め部２５１〜２５４が挿入される。これにより前カバー２と後カバー３との接合位置が決まる。この４つの位置決め部３５１〜３５４を、左から順に第１位置決め部３５１、第２位置決め部３５２、第３位置決め部３５３、第４位置決め部３５４とする。なお、位置決め部の個数は特に限定されない。
【００３０】
また、前端部３２１ｂには、６つの嵌め込み部３６１〜３６６が設けられている。６つの嵌め込み部３６１〜３６６を、左から順に第１嵌め込み部３６１、第２嵌め込み部３６２、第３嵌め込み部３６３、第４嵌め込み部３６４、第５嵌め込み部３６５、第６嵌め込み部３６６とする。なお、嵌め込み部の個数は特に限定されない。
【００３１】
第１嵌め込み部３６１は、第１位置決め部３５１と第２位置決め部３５２との間に配置されている。第１嵌め込み部３６１は、前端部３２１ｂの裏面を凹ませて形成されている。この第１嵌め込み部３６１には、図８に示すように前カバー２の第１嵌め込み部２６１が下側（裏側）から嵌め込まれる。
【００３２】
第２嵌め込み部３６２は、第２位置決め部３５２と第３位置決め部３５３との間で第２位置決め部３５２寄りに配置されている。この第２嵌め込み部３６２は、前端部３２１ｂの表面３２１ａをさらに半抜き加工、潰し加工、フライス加工等により凹ませて形成されている。第２嵌め込み部３６２には、図７に示すように前カバー２の第２嵌め込み部２６２が上側（表側）から嵌め込まれる。このときに第２嵌め込み部２６２の表面２６２ａと接合部３２１の表面３２１ａとが面一になる。
【００３３】
第３嵌め込み部３６３は、第３位置決め部３５３と第４位置決め部３５４との間に配置されている。この第３嵌め込み部３６３は端面３２１ｃを後方へ鉤状に凹ませて形成されている。第３嵌め込み部３６３には、図７と図８に示すように前カバー２の第３嵌め込み部２６３が前側から嵌め込まれる。このときに第３嵌め込み部２６３の表面２６３ａと接合部３２１の表面３２１ａとが面一になる。
【００３４】
第４嵌め込み部３６４は、第３嵌め込み部３６３と第４位置決め部３５４との間に配置されている。この第４嵌め込み部３６４は、前端部３２１ｂの表面３２１ａをさらに半抜き加工、潰し加工、フライス加工等により凹ませて形成されている。第４嵌め込み部３６４には、図７に示すように前カバー２の第４嵌め込み部２６４が上側（表側）から嵌め込まれる。このときに第４嵌め込み部２６４の表面２６４ａと接合部３２１の表面３２１ａとが面一になる。
【００３５】
第５嵌め込み部３６５は第４位置決め部３５４の右側に隣接して配置されている。この第５嵌め込み部３６５は、前端部３２１ｂの裏面を凹ませて形成されている。第５嵌め込み部３６５には、図８に示すように前カバー２の第５嵌め込み部２６５が下側（裏側）から嵌め込まれる。
【００３６】
第６嵌め込み部３６６は第５嵌め込み部３６５の右側に隣接して配置されている。この第６嵌め込み部３６６は端面３２１ｃを後方へ鉤状に凹ませて形成されている。この第６嵌め込み部３６６には、図７と図８に示すように前カバー２の第６嵌め込み部２６６が前側から嵌め込まれる。このときに第６嵌め込み部２６６の表面２６６ａと接合部３２１の表面３２１ａとが面一になる。
【００３７】
このように前カバー２と後カバー３は、双方の６つの嵌め込み部２６１〜２６６、３６１〜３６６が互いに嵌め込まれて接合される。このときには、図９に示すように双方の接合部２２１、３２１の表面２２１ａ、３２１ａが面一になる。
【００３８】
さらに双方の接合部２２１、３２１の表面２２１ａ、３２１ａ全体には、前述したシート４が覆われて貼着されている。この状態で、シート４は、双方の接合部２２１、３２１以外の部分２２２、３２２の表面２２２ａ、３２２ａと面一になるように形成されている。
【００３９】
したがって、本実施の形態の外装構造およびデジタルカメラ１では、このシート４によって接合部２２１、３２１の隙間や段差を防止することができる。また、このシート４は、双方のカバー２、３の上面の凹み（接合部２２１、３２１の凹み）を塞いで設けられるので、接合部２２１、３２１の隙間や段差を防止する際に省スペース化を図ることもできる。
【００４０】
また、双方のカバー２、３の嵌め込みは外観でない箇所で行うため、嵌め込み部の形状の自由度を高くすることが可能になり、嵌合性をより高めることが可能になる。よって、接合部の隙間や段差の防止性をより高めることができる。なお、双方のカバー２、３の接合は嵌め込みの他に接着等を使用しても良い。
【００４１】
シート４の貼着は、両面テープ等の粘着材や接着剤等を用いてシート４の裏面と接合部２２１、３２１の表面２２１ａ、３２１ａとを接着する。その他に、粘着材や接着剤等を用いてシート４を後カバー３とユニット化することも可能である。また、前カバーユニットとの分解性を考慮し、前カバー２の接合部２２１の表面２２１ａ（半抜き面）の範囲のみ粘着性をなくすようにしても良い。また、シート４を化粧板にしても良い。これにより、双方のカバー２、３の表面処理に制限があって化粧処理ができない場合でも、外装の意匠性を高めることができる。
【００４２】
以上、本発明に係る実施例を例示したが、この実施例は本発明の内容を限定するものではない。また、本発明の請求項の範囲を逸脱しない範囲であれば、各種の変更等は可能である。
【００４３】
例えば実施例ではデジタルカメラに本発明を適用した場合について説明したが、他の携帯機器に本発明を適用しても実施例と同様の作用効果を得ることができる。
【符号の説明】
【００４４】
１    デジタルカメラ
２    前カバー（外装カバー）
３    後カバー（外装カバー）
４    シート
２２１    前カバーの接合部
２２１ａ    接合部の表面
２２２      接合部以外の部分
２２２ａ    接合部以外の部分の表面
３２１    後カバーの接合部
３２１ａ    接合部の表面
３２２      接合部以外の部分
３２２ａ    接合部以外の部分の表面
【先行技術文献】
【特許文献】
【００４５】
【特許文献１】特開２０１０−２８６７２３号公報
【図１】
0005998443.tif 000002
【図２】
0005998443.tif 000003
【図３】
0005998443.tif 000004
【図４】
0005998443.tif 000005
【図５】
0005998443.tif 000006
【図６】
0005998443.tif 000007
【図７】
0005998443.tif 000008
【図８】
0005998443.tif 000009
【図９】
0005998443.tif 000010